(57)【要約】      （修正有）【課題】簡単な操作で高さを微調整したり回転のしかたを変更することが可能なコマ玩具を提供する。【解決手段】コマ玩具１の軸部１０は、基体部品１１に周方向に回転可能に挿嵌された略円筒状の回転部品１２と、回転部品１２の内側に螺合され回転部品１２の回転により上下方向に移動可能な軸体部品１３と、軸体部品１３の内部に収容され先端Ａが軸体部品１３の下端１３ｂで出没可能な軸と、を備え、軸は、軸体部品１３の内部で付勢部材により上方又は下方に付勢されており、回転部品１２が操作されて、回転部品１２が所定の回転位置に回転すると、軸の先端Ａが軸体部品１３の下端１３ｂから下方に突出して軸が接地し、回転部品１２が所定の回転位置以外の回転位置に回転すると、付勢部材の付勢力により軸の先端Ａが軸体部品１３の内部に没入して軸体部品１３とともに上下方向に移動し、軸体部品１３の下端１３ｂが接地する。【選択図】図１１
2020062071.tif 000002
【特許請求の範囲】
【請求項１】
相手方のコマ玩具と衝突する胴体と、その下方に配置され遊戯面に接地する軸部とを有するコマ玩具において、
前記軸部は、基体部品と、前記基体部品の凹部に周方向に回転可能に挿嵌された略円筒状の回転部品と、前記回転部品の内側に螺合され前記回転部品の回転により上下方向に移動可能な軸体部品と、前記軸体部品の内部に収容され先端が前記軸体部品の下端で出没可能な軸と、を備え、
前記軸体部品は、上下方向に移動しても、その下端が前記回転部品の下端より下側に位置する状態が維持されるように構成されており、
前記軸は、前記軸体部品の内部で付勢部材により上方又は下方のいずれか一方に付勢されており、
前記回転部品が操作されて、前記回転部品が所定の回転位置に回転すると、前記付勢部材の付勢力により前記軸の先端が前記軸体部品の下端から下方に突出して当該軸が接地し、
前記回転部品が前記所定の回転位置以外の回転位置に回転すると、前記軸の先端が前記軸体部品の内部に没入して前記軸体部品とともに上下方向に移動し、前記軸体部品の下端が接地することを特徴とするコマ玩具。
【請求項２】
前記軸は、前記軸体部品の内部で付勢部材により下方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の下端から下方に突出し、
前記回転部品の雌ネジの切り欠き以外の部分が前記軸の凸部の位置に回転すると、前記軸の凸部と前記雌ネジとが係合して、前記軸の先端が前記軸体部品の内部に没入することを特徴とする請求項１に記載のコマ玩具。
【請求項３】
前記軸の凸部は、下面に傾斜面を有しており、前記回転部品の回転により、前記回転部品の雌ネジの、前記切り欠きに面した上側の角部が前記傾斜面に当接し、前記傾斜面を押し上げることで前記軸の凸部を押し上げて前記軸の凸部と前記雌ネジとを係合させることを特徴とする請求項１又は請求項２に記載のコマ玩具。
【請求項４】
前記軸は、前記軸体部品の内部で付勢部材により上方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の内部に没入し、
前記回転部品の雌ネジの切り欠き以外の部分が前記軸の凸部の位置に回転すると、前記軸の凸部と前記雌ネジとが係合して、前記軸の先端が前記軸体部品の下端から下方に突出することを特徴とする請求項１に記載のコマ玩具。
【請求項５】
前記軸の凸部は、上面に傾斜面を有しており、前記回転部品の回転により、前記回転部品の雌ネジの、前記切り欠きに面した下側の角部が前記傾斜面に当接し、前記傾斜面を押し下げることで前記軸の凸部を押し下げて前記軸の凸部と前記雌ネジとを係合させることを特徴とする請求項１又は請求項４に記載のコマ玩具。
【請求項６】
前記軸体部品は、前記基体部品に固定された規制部品により、周方向の動きが規制され、前記回転部品の回転により上下方向にのみ移動可能とされていることを特徴とする請求項１から請求項５のいずれか一項に記載のコマ玩具。
【発明の詳細な説明】
【技術分野】
【０００１】
本発明はコマ玩具に関するものである。
【背景技術】
【０００２】
コマ玩具を互いに衝突させ、その衝撃力によって相手方のコマ玩具の回転を止めたり、相手方のコマ玩具を弾き飛ばしたり、あるいは相手方のコマ玩具を分解させる等して、いわゆるバトルゲームが行われる場合がある。
その際、コマ玩具が、コマ玩具の高さ（すなわち上下方向の長さ）を変えたり軸部の先端の形状を変えたりすることができるように構成されていれば、コマ玩具同士が種々の高さや回転のしかたで互いに衝突し合うようになるため、バトルゲームがより楽しいものとなる。
【０００３】
その場合、コマ玩具の高さが高い方が、相手方のコマ玩具と衝突する際、相手方のコマ玩具をより上側から攻撃することができる。また、コマ玩具の高さが低いと、重心が低くなるため衝突した際の安定性が良くなる。
また、例えば図１３（Ａ）に示すように、コマ玩具１００の軸部１０１の先端１０１Ａが尖っていたり球状である等して遊戯盤や板面、地面等の遊戯面との接地面積が小さいと、コマ玩具１００が遊戯面上の一箇所に留まって回転するが、図１３（Ｂ）に示すように、コマ玩具１００の軸部１０１の先端１０１Ａが平坦である等して遊戯面との接地面積が大きいと、コマ玩具１００は回転しながら遊戯面上を移動するようになる。
【０００４】
特許文献１に開示されたコマ玩具では、相手方のコマ玩具と衝突して攻撃する部分である上層部材と、コマ玩具の高さを決める中層部材と、コマ玩具の回転の仕方を決める下層部材とを重ね合せてコマ玩具が構成される。
そして、プレイヤが、下層部材に形成される軸部の先端の形状を変えることで、コマ玩具の回転のしかたや移動の有無を変えることができる。また、プレイヤが、中層部材を構成する第１の中層部材に対する第２の中層部材の固定位置を変えることで、コマ玩具の高さを変えることができる。
【０００５】
このように、特許文献１に開示されたコマ玩具では、プレイヤがコマ玩具の高さや回転のしかた、移動の有無等を自由に変えることができる。
そして、プレイヤがそれらを変えながら、対戦が有利に展開するようにいろいろと工夫することが可能となり、バトルゲームがより楽しいものとなる。
【先行技術文献】
【特許文献】
【０００６】
【特許文献１】実用新案登録第３１４９３８４号公報
【発明の概要】
【発明が解決しようとする課題】
【０００７】
しかし、特許文献１に開示されたコマ玩具では、軸部の先端の形状が異なる下層部材が予め複数用意されており、下層部材を付け替えることで軸部の先端の形状を変える。
そのため、プレイヤは、軸部の先端の形状を変えるためにわざわざ下層部材をコマ玩具から取り外し、別の下層部材に付け替えなければならず、煩わしさが感じられる場合があった。また、下層部材をなくしてしまう可能性もあった。
【０００８】
また、コマ玩具の高さを変える場合、プレイヤは、上層部材と中層部材と下層部材とを連結しているネジを取り外し、中層部材を取り出して第１の中層部材に対する第２の中層部材の固定位置を変え、再度、ネジで上層部材と中層部材と下層部材とを連結しなければならないが、その操作が面倒に感じられる可能性があった。
また、特許文献１に開示されたコマ玩具では、プレイヤは、コマ玩具の高さが高い状態と低い状態との２つの状態のいずれかしか選択できないため、コマ玩具の高さの微調整を行うことができず興趣に欠けるところがあった。
【０００９】
本発明は、かかる問題点に鑑みなされたもので、部品の交換を伴うことなく、簡単な操作で高さを微調整したり回転のしかた（移動の有無を含む。）を変更することが可能なコマ玩具を提供することを目的とする。
【課題を解決するための手段】
【００１０】
上記課題を達成するため、第１の手段は、
相手方のコマ玩具と衝突する胴体と、その下方に配置され遊戯面に接地する軸部とを有するコマ玩具において、
前記軸部は、基体部品と、前記基体部品の凹部に周方向に回転可能に挿嵌された略円筒状の回転部品と、前記回転部品の内側に螺合され前記回転部品の回転により上下方向に移動可能な軸体部品と、前記軸体部品の内部に収容され先端が前記軸体部品の下端で出没可能な軸と、を備え、
前記軸体部品は、上下方向に移動しても、その下端が前記回転部品の下端より下側に位置する状態が維持されるように構成されており、
前記軸は、前記軸体部品の内部で付勢部材により上方又は下方のいずれか一方に付勢されており、
前記回転部品が操作されて、前記回転部品が所定の回転位置に回転すると、前記付勢部材の付勢力により前記軸の先端が前記軸体部品の下端から下方に突出して当該軸が接地し、
前記回転部品が前記所定の回転位置以外の回転位置に回転すると、前記軸の先端が前記軸体部品の内部に没入して前記軸体部品とともに上下方向に移動し、前記軸体部品の下端が接地することを特徴とする。
【００１１】
第２の手段は、第１の手段において、
前記軸は、前記軸体部品の内部で付勢部材により下方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の下端から下方に突出し、
前記回転部品の雌ネジの切り欠き以外の部分が前記軸の凸部の位置に回転すると、前記軸の凸部と前記雌ネジとが係合して、前記軸の先端が前記軸体部品の内部に没入することを特徴とする。
【００１２】
第３の手段は、第１の手段又は第２の手段において、前記軸の凸部は、下面に傾斜面を有しており、前記回転部品の回転により、前記回転部品の雌ネジの、前記切り欠きに面した上側の角部が前記傾斜面に当接し、前記傾斜面を押し上げることで前記軸の凸部を押し上げて前記軸の凸部と前記雌ネジとを係合させることを特徴とする。
【００１３】
第４の手段は、第１の手段において、
前記軸は、前記軸体部品の内部で付勢部材により上方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の内部に没入し、
前記回転部品の雌ネジの切り欠き以外の部分が前記軸の凸部の位置に回転すると、前記軸の凸部と前記雌ネジとが係合して、前記軸の先端が前記軸体部品の下端から下方に突出することを特徴とする。
【００１４】
第５の手段は、第１の手段又は第４の手段において、前記軸の凸部は、上面に傾斜面を有しており、前記回転部品の回転により、前記回転部品の雌ネジの、前記切り欠きに面した下側の角部が前記傾斜面に当接し、前記傾斜面を押し下げることで前記軸の凸部を押し下げて前記軸の凸部と前記雌ネジとを係合させることを特徴とする。
【００１５】
第６の手段は、第１の手段から第５の手段のいずれか一の手段において、前記軸体部品は、前記基体部品に固定された規制部品により、周方向の動きが規制され、前記回転部品の回転により上下方向にのみ移動可能とされていることを特徴とする。
【発明の効果】
【００１６】
上記手段によれば、コマ玩具の回転部品を回転させるという簡単な操作で、コマ玩具の高さを微調整したり回転のしかた（移動の有無を含む。）を容易に変更することが可能となる。
【図面の簡単な説明】
【００１７】
【図１】本発明に係るコマ玩具の一実施形態の遊び方を説明した図である。
【図２】本実施形態のコマ玩具の分解斜視図である。
【図３】本実施形態のコマ玩具の分解断面斜視図である。
【図４】本実施形態のコマ玩具の軸部の分解斜視図である。
【図５】（Ａ）規制部品の円柱部の内面に設けられた凸部を表す図であり、（Ｂ）軸体部品の案内部の側面に設けられた凹部（開口）を表す図である。
【図６】軸の構成を表す斜視図である。
【図７】（Ａ）軸の凸部の下端が雄ネジの下面よりも下方に位置している状態等を表す図であり、（Ｂ）軸の凸部の下端と回転部品の雌ネジとが係合した状態等を表す図である。
【図８】回転部品の構成を表す平面図である。
【図９】（Ａ）、（Ｂ）回転部品の雌ネジの切り欠きに面した角部が軸の凸部の傾斜面に当接して押し上げることを説明する図である。
【図１０】本実施形態のコマ玩具における胴体、軸部及びフライホイールの係合関係を示し、（Ａ）は係合解除時の状態を示した図、（Ｂ）は係合状態を示した図である。
【図１１】回転部品の回転角度が（Ａ）０度、（Ｂ）９０度、（Ｃ）１８０度である場合の軸体部品の突出長さや軸の先端の状態等を表す図である。
【図１２】回転部品の回転角度が（Ａ）２７０度、（Ｂ）３６０度である場合の軸体部品の突出長さや軸の先端の状態等を表す図である。
【図１３】コマ玩具の軸部の先端と遊戯面との接地面積が（Ａ）小さい場合、（Ｂ）大きい場合を表す図である。
【発明を実施するための形態】
【００１８】
以下、本発明のコマ玩具を図面に示した実施形態に基づいて説明する。
【００１９】
《全体構成》
図１は、本発明に係るコマ玩具の一実施形態の遊び方を説明した図、図２は、本実施形態のコマ玩具の分解斜視図、図３は、本実施形態のコマ玩具の分解断面斜視図、図４は、本実施形態のコマ玩具の軸部の分解斜視図である。
本明細書においては、上下、左右及び前後は図２及び図３に示した向きを言うものとする。
【００２０】
実施形態のコマ玩具１は、バトルゲームに使用することが可能なコマ玩具である。
なお、以下では、コマ玩具１同士の衝突による衝撃力で相手方のコマ玩具１を図１の右側のように分解させて勝利とするようなバトルゲームに使用できるコマ玩具１について説明するが、本発明に係るコマ玩具１は、このような分解可能なコマ玩具でなくてもよい。
【００２１】
コマ玩具１は、図２及び図３に示すように、下部構造を構成し遊戯盤や板面、地面等の遊戯面に接地するドライバとなる軸部１０と、上部構造を構成するレイヤーとなる性能可変リング３０及び相手方のコマ玩具と衝突する胴体４０とによって構成されている。
【００２２】
《細部構成》
［１．軸部１０について］
図２〜図４に示すように、軸部１０は、基体部品１１、回転部品１２、軸体部品１３、軸１４、規制部品１６、押圧部品１７、カバー１９を備えている。
基体部品１１は、椀状に形成されており、凹部１１ａの底部に円形の孔１１ｂが形成されている。基体部品１１の左右の側面上面には、それぞれ下向きに窪んだ溝１１ｃが形成されており、溝１１ｃにはそれぞれネジ挿通孔１１ｄが形成されている。
【００２３】
基体部品１１の孔１１ｂには、略円筒状の回転部品１２が挿嵌されている。そして、回転部品１２の上部の円筒部１２ａが、基体部品１１の凹部１１ａに内嵌されており、基体部品１１の凹部１１ａ内でその周方向に回転できるようになっている。
回転部品１２の下部には、円筒部１２ａと同心でやや小径の略円筒状の調整部１２ｂが円筒部１２ａと一体的に形成されている。調整部１２ｂは、基体部品１１の下端より下側に位置しており、基体部品１１の下方で外部に露出している。
また、回転部品１２の調整部１２ｂの内面には雌ネジ１２ｃが形成されている。なお、本実施形態では、雌ネジ１２ｃには所定の位置に切り欠き１２ｃ２（後述する図８参照）が設けられているが、この点については後で説明する。
【００２４】
回転部品１２の内側には、軸体部品１３が配置されている。軸体部品１３の下部には、後述する軸１４を収容する円筒状の収容部１３ａが設けられており、収容部１３ａの下端には、収容部１３ａと同心でやや小径の円筒状の下端部１３ｂが延設されている。
軸体部品１３の収容部１３ａの側面の外側には雄ネジ１３ｃが形成されており、軸体部品１３は回転部品１２の内側で回転部品１２に螺合されている。なお、本実施形態では、軸体部品１３の収容部１３ａの側面に開口部１３ｇが設けられているが、この点については後で説明する。
【００２５】
軸体部品１３は、後述するように基体部品１１に対して周方向に回転しないように規制部品１６によって動きが規制されている。そのため、後述するようにプレイヤにより回転部品１２の調整部１２ｂが操作されて回転部品１２が基体部品１１に対して周方向に回転しても、軸体部品１３は周方向には回転せず、回転部品１２の回転により上下方向に移動するようになっている。
そのため、回転部品１２が周方向に回転することで、軸体部品１３の下端部１３ｂの回転部品１２下端から下方への突出長さＬ（後述する図１１（Ａ）〜（Ｃ）、図１２（Ａ）、（Ｂ）参照）が長くなったり短くなったりするようになっている。
【００２６】
その際、回転部品１２を回転可能な角度範囲内で回転させても、軸体部品１３の下端部１３ｂが回転部品１２内に没入してしまうことはない。すなわち、回転部品１２を回転させて軸体部品１３を上下方向に移動しても、軸体部品１３の下端部１３ｂが回転部品１２の下端より下側に位置する状態が維持されるようになっている。
また、軸体部品１３の上部には、収容部１３ａと同心でやや小径の円筒状の案内部１３ｄが設けられている。
【００２７】
軸体部品１３の内部には、軸１４が収容されている。軸１４の下部には、下端が下方に凸状に形成された円柱状の本体部１４ａが設けられている。なお、以下、軸１４の本体部１４ａの下端を、軸１４の先端Ａという。
軸１４の本体部１４ａは、その外径が軸体部品１３の収容部１３ａの内径と同一又は僅かに小さく形成されており、軸体部品１３の収容部１３ａに沿って上下方向に移動できるようになっている。
【００２８】
また、軸１４の上部には、本体部１４ａと同心でやや小径の円柱状の棒状部１４ｂが本体部１４ａと一体的に設けられている。軸１４の棒状部１４ｂは、その外径が軸体部品１３の案内部１３ｄの内径と同一又は僅かに小さく形成されている。
そして、軸１４の棒状部１４ｂが軸体部品１３の案内部１３ｄ内に挿入されていて、案内部１３ｄに案内されて上下方向にしか移動できないように規制されているため（すなわち棒状部１４ｂが前後方向や左右方向には動かないため）、軸１４の本体部１４ａが軸体部品１３の収容部１３ａ内で移動する際、前後左右にがたつくことなく上下方向にスムーズに移動できるようになっている。
【００２９】
軸１４の棒状部１４ｂの外壁面と軸体部品１３の収容部１３ａの内壁面との間には付勢部材であるスプリング１５が配設されており、軸１４の本体部１４ａは、スプリング１５の付勢力により軸体部品１３の内部で下方に付勢されている。
しかし、軸１４の本体部１４ａの外径が軸体部品１３の下端部１３ｂの内径よりも大きいため、付勢された軸１４の本体部１４ａが軸体部品１３の収容部１３ａ内で下方に移動しても軸体部品１３の下端部１３ｂと係合する。そのため、軸１４が軸体部品１３から下方に抜け落ちてしまうことはない。
なお、本実施形態では、軸１４の本体部１４ａの側面に凸部１４ｃが設けられているが、この点については後で説明する。
【００３０】
一方、軸体部品１３の上部の案内部１３ｄは、規制部品１６の円柱部１６ａ内に挿入されている。規制部品１６の円柱部１６ａは、内部が空洞とされており、下方が開口している。なお、図４に示すように規制部品１６の円柱部１６ａの上端の側面の前後にはそれぞれ爪Ｂが設けられている。
そして、図５（Ａ）に示すように、規制部品１６の円柱部１６ａの内面の所定の位置に上下方向に延在する畝状の凸部１６ｂが設けられている。
また、図５（Ｂ）に示すように、軸体部品１３の案内部１３ｄの側面には下方向に延在する凹部（この場合は開口）１３ｅが設けられている。なお、図５（Ｂ）は、図４の軸体部品１３をその中心軸周りに１８０度回転させた状態を表したものである。
【００３１】
そして、軸体部品１３の案内部１３ｄが規制部品１６の円柱部１６ａ内に挿入されると、軸体部品１３の円柱部１６ａの凸部１６ｂが、軸体部品１３の案内部１３ｄの凹部１３ｅに嵌り込む。そのため、軸体部品１３は、その中心軸周りに回転することができなくなり、規制部品１６の円柱部１６ａ内の凸部１６ｂに沿った上下方向の移動のみが許容される状態になる。
このように、軸体部品１３は、規制部品１６により周方向の動き（すなわち中心軸周りの回転）が規制されるため、前述したように、プレイヤにより回転部品１２の調整部１２ｂが操作されて回転部品１２が基体部品１１に対して周方向に回転しても、軸体部品１３は周方向には回転せず、上下方向にのみ移動できるようになっている。
【００３２】
なお、軸体部品１３が最も上方に移動した状態では、図３に示すように、軸体部品１３の前後に設けた肩部１３ｆが、規制部品１６に設けられた孔１６ｃに嵌り込むようになっている。
また、規制部品１６の下端部には左右に突片１６ｄが１つずつ形成されており、各突片１６ｄにそれぞれ円形の孔１６ｅが形成されている。規制部品１６の各突片１６ｄは、基体部品１１の各溝１１ｃにそれぞれ嵌め込まれており、その状態で、規制部品１６の各孔１６ｅは基体部品１１の各ネジ挿通孔１１ｄの直上に配置されている。
【００３３】
規制部品１６の円柱部１６ａには、その外周を取り囲むように押圧部品１７が配置されている。押圧部品１７の上面には円形の開口１７ａが形成されており、規制部品１６の円柱部１６ａが押圧部品１７の開口１７ａに嵌め込まれている。そして、規制部品１６の円柱部１６ａの上面が外部に露出されている。押圧部品１７の上面と規制部品１６の円柱部１６ａの上面とが面一となっている。
また、押圧部品１７の上面には、左右対称の位置（２箇所）に径方向に延びる凸条（突起）１８がそれぞれ形成されている。また、押圧部品１７の外周下端部に前後方向に突出する脚部１７ｂがそれぞれ設けられており、脚部１７ｂは後述するカバー１９に設けられた孔１９ｃに挿通されてカバー１９と係合されている。
【００３４】
押圧部品１７の周囲には、カバー１９が配置されている。カバー１９は、円筒部１９ａと、その下端部に環状に形成された鍔１９ｂとを備えており、円筒部１９ａ及び鍔１９ｂには、前後にそれぞれに孔１９ｃが形成されている。
また、カバー１９の円筒部１９ａには、左右にそれぞれに突出部１９ｄが形成されており、突出部１９ｄの外面は鍔１９ｂの外周面と面一となっている。
【００３５】
押圧部品１７の突出部１９ｄの下面には下方に突出する円柱体１９ｅがそれぞれ形成されており、各円柱体１９ｅは規制部品１６の突片１６ｄの孔１６ｅに嵌め込まれている。また、各円柱体１９ｅの中央には、それぞれ下向きに開口する雌ネジ部１９ｆが形成されている。
前述したように、規制部品１６の孔１６ｅは基体部品１１のネジ挿通孔１１ｄの直上に配置されている。そして、上記のようにカバー１９の円柱体１９ｅがこの規制部品１６の孔１６ｅに嵌め込まれているため、カバー１９の円柱体１９ｅに設けられた雌ネジ部１９ｆが基体部品１１のネジ挿通孔１１ｄの直上に位置している。
【００３６】
そのため、本実施形態のコマ玩具１の軸部１０では、ネジ挿通孔１１ｄにネジ２０を下方から上向きに挿入し雌ネジ部１９ｆに螺合させることで、規制部品１６とカバー１９とが基体部品１１に螺着されて固定されるようになっている。
また、押圧部品１７も、規制部品１６やカバー１９を介して基体部品１１に固定されている。
【００３７】
以上のように、本実施形態のコマ玩具１の軸部１０では、規制部品１６と押圧部品１７とカバー１９は、基体部品１１に固定されていて基体部品１１に対して相対的に動かない。
回転部品１２は、基体部品１１に対して周方向に回転させることができる。
軸体部品１３は、回転部品１２の回転により基体部品１１に対して上下方向に移動することができる。
また、軸１４は、スプリング１５の弾発力により軸体部品１３の収容部１３ａの内部で下方に付勢されているが、軸体部品１３の収容部１３ａ内で上下方向に移動することができるようになっている。
【００３８】
［軸１４の先端Ａを軸体部品１３の下端で出没させるための機構について］
一方、本実施形態のコマ玩具１の軸部１０では、基体部品１１に対して回転部品１２を周方向に回転させると、上記のように軸体部品１３を上下方向に移動させると同時に、軸１４の先端Ａを軸体部品１３の下端（すなわち下端部１３ｂ）で自動的に出没させる（すなわち軸体部品１３の下端から下方に突出させたり軸体部品１３の下端内に没入させたりする）ことができるようになっている。
そして、本実施形態では、回転部品１２を回転させるだけで、軸１４の先端Ａを軸体部品１３の下端部１３ｂで出没させることができるようになっている。
以下、軸１４の先端Ａを軸体部品１３の下端で出没させるための機構について説明する。
【００３９】
図６に示すように、本実施形態では、軸１４の本体部１４ａには、その側面から左右方向にそれぞれ突出するように凸部１４ｃが設けられている。
なお、以下では、凸部１４ｃが軸１４の本体部１４ａの左右に設けられていることを前提として説明するが、凸部１４ｃが軸１４の本体部１４ａの前後等の別の位置に設けられていてもよく、本発明は、凸部１４ｃが軸１４の本体部１４ａの左右に設けられる場合に限定されない。
【００４０】
本実施形態では、凸部１４ｃは軸１４の本体部１４ａの上側と下側にそれぞれ設けられており（左右２個ずつ、計４個）、それぞれ軸１４の本体部１４ａと一体的に形成されている。
また、凸部１４ｃは下に凸のくさび形に形成されており、その下面の前後に傾斜面１４ｃ１、１４ｃ２を有している。なお、以下、傾斜面１４ｃ１、１４ｃ２の境界部分（すなわちくさび形の下端部分）を凸部１４ｃの下端αという。
【００４１】
また、図４や図５（Ｂ）に示すように、軸体部品１３の収容部１３ａの左右の側面の所定の位置に、上下方向に細長い開口部１３ｇがそれぞれ形成されており、軸体部品１３の収容部１３ａ内に収容された軸１４の凸部１４ｃがこれらの開口部１３ｇを抜けて収容部１３ａの外側に突出されている。
なお、軸体部品１３の雄ネジ１３ｃは開口部１３ｇの部分で分断されている。また、軸１４の凸部１４ｃの先端面は軸体部品１３の雄ネジ１３ｃの外周面と面一となっている。
【００４２】
前述したように、スプリング１５により下方に付勢された軸１４の本体部１４ａが軸体部品１３の収容部１３ａ内の最も低い位置にある場合には、図７（Ａ）に示すように、軸１４の先端Ａが軸体部品１３の下端部１３ｂから下方に突出する。
そして、この状態では、軸１４の凸部１４ｃの下端αは、軸体部品１３の雄ネジ１３ｃの下面１３ｃ１よりも下方に位置している。なお、上記のように軸１４の凸部１４ｃの部分すなわち開口部１３ｇの部分では雄ネジ１３ｃが分断されていて雄ネジ１３ｃが存在しない。そのため、以下では、軸１４の凸部１４ｃの下端αが雄ネジ１３ｃの下面１３ｃ１よりも下方に位置していると表現するが、正確に言えば、軸体部品１３の開口部１３ｇの両側（前後）の雄ネジ１３ｃの下面１３ｃ１を結ぶ仮想面よりも下方に位置しているということになる。
【００４３】
しかし、軸体部品１３が回転部品１２に螺合しているため、軸体部品１３の雄ネジ１３ｃの下面１３ｃ１には、回転部品１２の内面に設けられた雌ネジ１２ｃの上面１２ｃ１（図７（Ｂ）中の一点鎖線参照）が当接している。
そして、この状態では、図７（Ｂ）に示すように、軸１４の凸部１４ｃが押し上げられて軸１４の凸部１４ｃの下端αと雌ネジ１２ｃの上面１２ｃ１とが係合した状態になっている。そのため、軸１４の本体部１４ａも軸体部品１３の収容部１３ａ内で押し上げられた状態になっており、この状態では、軸１４の先端Ａが軸体部品１３の下端部１３ｂ内に没入する。
そして、この状態でプレイヤが回転部品１２の調整部１２ｂを操作して回転部品１２を周方向に回転させても、軸１４の凸部１４ｃの下端αと雌ネジ１２ｃの上面１２ｃ１とは係合した状態のままであるため、軸１４の先端Ａは軸体部品１３の下端部１３ｂ内に没入した状態にしかならない。
なお、前述したように、回転部品１２を回転させると、軸体部品１３自体は回転部品１２内で上下方向に移動するため、この場合は、軸１４の先端Ａが軸体部品１３の下端部１３ｂ内に没入した状態で軸体部品１３と軸１４が上下方向に移動することになる。
【００４４】
本実施形態では、回転部品１２を上方から見た場合、図８に示すように、雌ネジ１２ｃには、所定の位置（この場合は円筒状の回転部品１２の中心軸について対称の２箇所）に切り欠き１２ｃ２が設けられている。
そのため、プレイヤが回転部品１２の調整部１２ｂを操作して回転部品１２を周方向に回転させて回転部品１２が所定の回転位置に回転すると、すなわち雌ネジ１２ｃの切り欠き１２ｃ２が軸１４の凸部１４ｃの位置に回転すると、軸１４の凸部１４ｃと雌ネジ１２ｃの上面１２ｃ１との係合が解除される。そのため、軸１４の本体部１４ａがスプリング１５の付勢力により軸体部品１３の収容部１３ａ内の最も低い位置に移動して、図７（Ａ）に示したように軸１４の先端Ａが軸体部品１３の下端部１３ｂから下方に突出する。
【００４５】
また、プレイヤが回転部品１２の調整部１２ｂを操作して回転部品１２を周方向に回転させて回転部品１２が所定の回転位置以外の回転位置に回転すると、すなわち雌ネジ１２ｃの切り欠き１２ｃ２以外の部分が軸１４の凸部１４ｃの位置に回転すると、軸１４の凸部１４ｃの下端αと雌ネジ１２ｃの上面１２ｃ１とが係合する。そのため、軸１４の本体部１４ａがスプリング１５の付勢力に抗して軸体部品１３の収容部１３ａ内で上方に押し上げられて、図７（Ｂ）に示したように軸１４の先端Ａが軸体部品１３の下端部１３ｂ内に没入する。
【００４６】
本実施形態では、このように、回転部品１２が周方向に回転することで、自動的に軸１４の先端Ａが軸体部品１３の下端部１３ｂから下方に突出したり軸体部品１３の下端部１３ｂ内に没入したりする、すなわち自動的に出没するようになっている。
そして、プレイヤが回転部品１２を回転させるだけで、軸１４の先端Ａを軸体部品１３の下端部１３ｂで出没させることができるようになっている。
【００４７】
なお、上記のように、回転部品１２を回転させると、軸１４の凸部１４ｃが、その下端αが雄ネジ１３ｃの下面１３ｃ１よりも下方に位置した状態から、雌ネジ１２ｃの上面と係合する位置まで上昇する。
その際、図９（Ａ）に示すように、回転部品１２を回転させると、回転部品１２の雌ネジ１２ｃの切り欠き１２ｃ２に面した上側の角部が軸１４の凸部１４ｃの傾斜面１４ｃ１に当接する。そして、回転部品１２を更に回転させると、雌ネジ１２ｃの上側の角部が軸１４の凸部１４ｃの傾斜面１４ｃ１を摺動しながら傾斜面１４ｃ１を押し上げる。
【００４８】
そのため、回転部品１２を回転させることで軸１４の凸部１４ｃがスムーズに押し上げられ、図７（Ｂ）に示したように軸１４の凸部１４ｃの下端αと雌ネジ１２ｃの上面１２ｃ１とが係合する状態までスムーズに押し上げられる。
回転部品１２を反対向きに回転させた場合も同様に、図９（Ｂ）に示すように、回転部品１２の雌ネジ１２ｃの上側の角部が軸１４の凸部１４ｃの傾斜面１４ｃ２に当接してスムーズに押し上げるため、軸１４の凸部１４ｃが図７（Ｂ）に示した状態までスムーズに押し上げられる。
本実施形態では、このようにして、回転部品１２を回転させることで、軸１４の先端Ａを軸体部品１３の下端部１３ｂで容易かつスムーズに出没させることができるようになっている。
【００４９】
なお、本実施形態のコマ玩具１では、軸１４の先端Ａが軸体部品１３の下端部１３ｂから下方に突出している状態では、下方に突出している軸１４の先端Ａが遊戯面に接地するため、遊戯面との接地面積が小さくなり、コマ玩具１は遊戯面上の一箇所に留まって回転する状態になる。
また、軸１４の先端Ａが軸体部品１３の下端部１３ｂ内に没入している状態では、軸体部品１３の下端部１３ｂ自体が遊戯面に接地するため、遊戯面との接地面積が大きくなり、コマ玩具１は回転しながら遊戯面上を移動する状態になる。
【００５０】
［２．性能可変リング３０について］
この実施形態では、性能可変リング３０（図２及び図３参照）としてフライホイールが用いられている。この性能可変リング３０は板状を成している。図３に示すように、この性能可変リング３０の底面には軸部１０の鍔１９ｂが下方から収容可能な環状段部３１が形成されている。また、図２及び図３に示すように、この性能可変リング３０の上面には、回転軸（すなわち軸部１０の軸体部品１３や軸１４等の中心軸）の軸線を挟み左右方向で対峙する部位２箇所それぞれに上方に向けて張り出す突出部３２が形成されている。各突出部３２の下側部分には、軸部１０の突出部１９ｄを下方から収容可能な凹部３３が形成されている。また、性能可変リング３０の上面には、各突出部３２の直ぐ外側に上方に延びる舌片３４が形成されている。舌片３４は突出部３２よりも上方に突出している。なお、この性能可変リング３０としては、フライホイールに代えて或いはフライホイールと一体的で、外周面に突出部があって相手方のコマ玩具１を攻撃し易くしたものや、外周面に凹部があって相手方のコマ玩具１からの攻撃を受け難いものであってもよい。
【００５１】
［３．胴体４０について］
胴体４０は円盤状を成している。この胴体４０は、図２に示すように、基体４００と、上面視で基体４００と略同形で基体４００の上に被せられた透明カバー体４０１とを備えている。
胴体４０の外周には凹凸４０ａが形成されている。また、基体４００の中央には円孔４１が形成されている。上記透明カバー体４０１は円孔４１等を除いた部分に被せられている。さらに、胴体４０の下面には、性能可変リング３０の突出部３２を下方から収容可能な環状凹部４２が形成されている。
この環状凹部４２を区画形成する内周壁４３ａの内周面下端には、回転軸の軸線を挟み前後方向で対峙する部位２箇所それぞれに半径方向内側に向けて張り出す爪（係合部）４４が突設されている。
また、内周壁４３ａの内周面の上下方向中間部には、回転軸の軸線を挟み左右方向で対峙する部位２箇所それぞれに半径方向内側に向けて張り出す突起４７が突設されている。
さらに、内周壁４３ａの下端面には、回転軸の軸線を挟み左右方向で対峙する部位２箇所それぞれに、凹凸が連続して形成され上記凸条１８に噛み合う起伏部４５が形成されている。
また、胴体４０の環状凹部４２を区画形成する天井壁４３ｂには、性能可変リング３０の舌片３４を下方から挿入可能な弧状スリット４６が形成されている。この弧状スリット４６の長さは舌片３４が十分に移動し得る長さとなっている。
【００５２】
［４．識別用部品６０について］
識別用部品６０は円孔４１に取り付けられている。この識別用部品６０はコマ玩具１の識別やプレイヤの識別のために使用される。
この識別のため、実施形態では、図示はしないが、この識別用部品６０として互いに異なる模様及び／又は色を有するものが用意され、その中からプレイヤが選択した１つの識別用部品６０が円孔４１に突起４７を利用してねじ式で取り付けられる。
【００５３】
《組立方法》
次に、コマ玩具１の組立方法の一例を説明する。
まず、軸部１０の基体部品１１の凹部１１ａの孔１１ｂに回転部品１２を周方向に回転可能に挿嵌する。その際、回転部品１２の調整部１２ｂが、基体部品１１の下端より下側に配置され、基体部品１１の下方で外部に露出する。そして、回転部品１２の内面に形成された雌ネジ１２ｃに、軸体部品１３の側面に形成された雄ネジ１３ｃを螺合させる。軸体部品１３の内部には軸１４が収容されている。そして、軸体部品１３の案内部１３ｄに設けられた凹部１３ｅに軸体部品１３の円柱部１６ａの凸部１６ｂを嵌めるようにして、軸体部品１３の案内部１３ｄを規制部品１６の円柱部１６ａに挿入する。そして、規制部品１６の各突片１６ｄを基体部品１１の各溝１１ｃに嵌める。そして、押圧部品１７の脚部１７ｂをカバー１９の孔１９ｃに挿通して押圧部品１７とカバー１９とを係合させ、その状態で、押圧部品１７とカバー１９を規制部品１６に被せる。そして、カバー１９の突出部１９ｄの下面の円柱体１９ｅを規制部品１６の孔１６ｅに嵌め込む。そして、ネジ挿通孔１１ｄにネジ２０を下方から上向きに挿入し雌ネジ部１９ｆに螺合させて規制部品１６とカバー１９とを基体部品１１に固定する。
このようにして軸部１０を組み立てる。
【００５４】
次に、軸部１０の突出部１９ｄを下方から性能可変リング３０の凹部３３に合致させるようにして、軸部１０と性能可変リング３０を嵌合状態に組み付ける。そして、この組付け体を胴体４０に下方から近付ける。この際、上記組付け体の性能可変リング３０の舌片３４を胴体４０の弧状スリット４６の所定の端に合致させる（図１０（Ａ）参照）。この状態は、軸部１０の爪Ｂと胴体４０の爪４４とは上下方向で重なっていない状態である。この状態が係合解除状態である。その後、上記組付け体の軸部１０を胴体４０側に押圧する。すると、まず、性能可変リング３０が胴体４０の下面に押し当てられ、さらに、軸部１０の爪Ｂが胴体４０の爪４４よりも上方に相対的に押し上げられる。そして、軸部１０を性能可変リング３０と一体的に胴体４０に対して舌片３４が上記所定の端とは反対側の端まで移動するまで回転させる（図１０（Ｂ）参照）。この場合の回転は、胴体４０及び性能可変リング３０と軸部１０との相対的な回転であって、図１０（Ｂ）では、胴体４０側を胴体４０及び性能可変リング３０に対して回転させた状態が示されている。すると、軸部１０の爪Ｂと胴体４０の爪４４とが上下で重なった状態となる。そして、軸部１０から手を離すと、軸部１０の爪Ｂの下面と胴体４０の爪４４の上面とが当接される。
軸部１０の爪Ｂの下面と胴体４０の爪４４の上面とが当接された状態が係合状態である。これにより、軸部１０と、性能可変リング３０及び胴体４０が結合され、コマ玩具１が組み立てられる。
【００５５】
《遊び方》
続いて、このコマ玩具１を使用しての遊び方の一例を説明する。
この遊び方の一例では、特にコマ玩具１の高さの微調整や回転のしかた（移動の有無を含む。）の変更について説明する。
例えば、プレイヤが一方の手でコマ玩具１の胴体４０等を持ち、他方の手で軸部１０の回転部品１２の調整部１２ｂをつまんで周方向に回転させるように操作して、軸体部品１３を回転部品１２に対して上昇させる。
そして、回転部品１２が所定の回転位置（以下、この回転位置を回転角度０度の位置という。）に回転して回転部品１２の雌ネジ１２ｃの切り欠き１２ｃ２が軸１４の凸部１４ｃの位置に回転すると、軸１４の凸部１４ｃと雌ネジ１２ｃの上面１２ｃ１との係合が解除される。そのため、軸１４の本体部１４ａがスプリング１５の付勢力で軸体部品１３の収容部１３ａ内の最も低い位置に移動して、図１１（Ａ）に示すように、軸１４の先端Ａが軸体部品１３の下端である下端部１３ｂから下方に突出する。
この状態のコマ玩具１をプレイヤが遊戯面上で回転させると、軸１４の先端Ａが遊戯面に接地する状態になり、遊戯面との接地面積が小さくなるためコマ玩具１は遊戯面上の一箇所に留まって回転する。
【００５６】
また、プレイヤが、図１１（Ａ）の状態から回転部品１２の調整部１２ｂを反対方向に周方向に回転させるように操作すると、軸１４の凸部１４ｃと雌ネジ１２ｃの上面１２ｃ１とが係合するため、軸１４の本体部１４ａがスプリング１５の付勢力に抗して軸体部品１３の収容部１３ａ内で上昇し、軸１４の先端Ａが軸体部品１３の下端部１３ｂ内に没入する。
そして、回転部品１２を回転角度０度の位置から１８０度回転させるまでの間は、図１１（Ｂ）に示すように、軸１４の先端Ａが軸体部品１３の下端部１３ｂ内に没入した状態で軸１４が軸体部品１３とともに上下方向に移動する。そして、回転部品１２の回転角度に応じて、軸体部品１３の下端部１３ｂの回転部品１２下端から下方への突出長さＬが変化する。そのため、本実施形態のコマ玩具１では、プレイヤがコマ玩具１の軸部１０の回転部品１２を回転させるだけで、軸体部品１３の下端部１３ｂの突出長さＬを変化させることができ、コマ玩具１自体の高さを変化させることができる。なお、図１１（Ｂ）では、回転部品１２を回転角度０の位置から９０度回転させた状態が表されている。
【００５７】
また、この状態のコマ玩具１をプレイヤが遊戯面上で回転させると、軸体部品１３の下端部１３ｂが遊戯面に接地する状態になるため、軸１４の先端Ａが遊戯面に接地する場合に比べて遊戯面との接地面積が大きくなり、コマ玩具１は回転しながら遊戯面上を移動する。このように、本実施形態のコマ玩具１では、プレイヤがコマ玩具１の軸部１０の回転部品１２を回転させるだけで、コマ玩具１の遊戯面上での回転のしかたを、上記のように遊戯面上の一箇所に留まって回転する状態から回転しながら遊戯面上を移動する状態に変更させることができる。
【００５８】
プレイヤが、図１１（Ｂ）の状態から回転部品１２の調整部１２ｂをさらに周方向に回転させるように操作して、回転部品１２を回転角度０度の位置から１８０度回転させると、図１１（Ｃ）に示すように、軸１４の先端Ａが軸体部品１３の下端部１３ｂから突出する。
そして、プレイヤが、回転部品１２の調整部１２ｂをさらに周方向に回転させると、回転部品１２の回転角度が１８０度から３６０度までの間は、図１２（Ａ）に示すように、軸１４の先端Ａが軸体部品１３の下端部１３ｂ内に没入した状態で軸１４が軸体部品１３とともに上下方向に移動し、回転部品１２の回転角度に応じて軸体部品１３の下端部１３ｂの突出長さＬが変化する。なお、図１２（Ａ）では、回転部品１２を回転角度０の位置から２７０度回転させた状態が表されている。
そして、プレイヤが、回転部品１２の調整部１２ｂをさらに周方向に回転させて、回転部品１２を３６０度回転させると、図１２（Ｂ）に示すように、軸１４の先端Ａが軸体部品１３の下端部１３ｂから突出する。
なお、上記の説明では、回転部品１２を回転角度０度から３６０度まで回転させる場合について説明したが、これは回転部品１２を０度から３６０度の回転角度の範囲でしか回転させることができないことを意味するものではなく、回転部品１２の回転角度は適宜設定される。
【００５９】
《効果》
以上のように、本実施形態に係るコマ玩具１によれば、プレイヤがコマ玩具１の軸部１０の回転部品１２の調整部１２ｂをつまんで回転部品１２を回転させるという非常に簡単な操作を行うだけで、軸体部品１３の下端部１３ｂの突出長さＬを変化させてコマ玩具１自体の高さを変化させることが可能となる。そして、その際、回転部品１２の円筒状の調整部１２ｂの径をある程度大きくすれば、プレイヤが回転部品１２の調整部１２ｂをつまんで操作しやすくなるとともに、プレイヤが回転部品１２の回転角度を微妙に調整することが可能となり、回転部品１２を回転させるという非常に簡単な操作を行うだけでコマ玩具１自体の高さを容易に微調整することが可能となる。
【００６０】
また、プレイヤが上記の非常に簡単な操作を行うだけで、軸１４の先端Ａを軸体部品１３の下端（下端部１３ｂ）で出没させることが可能となる。
そのため、コマ玩具１の遊戯面上での回転のしかたを、軸１４の先端Ａを軸体部品１３の下端部１３ｂから突出させて遊戯面上の一箇所に留まって回転する状態と、軸１４の先端Ａを軸体部品１３の下端部１３ｂ内に没入させて回転しながら遊戯面上を移動する状態との間で容易に変更させることが可能となる。また、軸１４の先端Ａを軸体部品１３の下端部１３ｂから突出させることで、軸１４の先端Ａの突出分だけコマ玩具１の高さを高くすることもできる。
【００６１】
しかも、本実施形態のコマ玩具１では、コマ玩具１の高さを変え、回転のしかたを変える（軸１４を出没させる）際に、プレイヤがコマ玩具１の軸部１０の回転部品１２の調整部１２ｂをつまんで回転部品１２を回転させるだけでよく、前述した特許文献１のコマ玩具のようにコマ玩具の各部材を連結するネジを取り外す等してコマ玩具の高さを変えたり、下層部材を付け替えて軸部の先端の形状を変えたりする必要がない。
【００６２】
このように、本実施形態に係るコマ玩具１によれば、プレイヤがコマ玩具１の軸部１０の回転部品１２をつまんで回転させる非常に簡単な操作を行うだけで、部品の交換を伴うことなく、コマ玩具１の高さを微調整したり回転のしかた（移動の有無を含む。）を容易に変更することが可能となる。
【００６３】
なお、本発明は上記の実施形態に限定されず、本発明の要旨を逸脱しない範囲で、種々変形が可能であることは言うまでもない。
例えば、上記の実施形態では、プレイヤが、回転部品１２の調整部１２ｂを周方向に回転させて回転部品１２の回転角度が０度や１８０度、３６０度になった際に、軸１４の先端Ａが軸体部品１３の下端部１３ｂから下方に突出し（図１１（Ａ）、（Ｃ）、図１２（Ｂ）参照）、回転部品１２の回転角度をそれらの角度から少しずらすとすぐに軸１４の先端Ａが軸体部品１３の下端部１３ｂ内に没入する（図１１（Ｂ）、図１２（Ａ）参照）場合について説明した。
すなわち、上記の実施形態では、軸１４の先端Ａの軸体部品１３の下端部１３ｂからの突出度合を微調整することは必ずしも容易ではない可能性がある。
【００６４】
そこで、例えば図７（Ａ）等に示した軸体部品１３の収容部１３ａの開口部１３ｇを前後方向に広げ（すなわち前後方向の幅がより大きくなるように形成し）、軸１４の凸部１４ｃの幅もそれにあわせて大きく形成する（回転部品１２の雌ネジ１２ｃの切り欠き１２ｃ２の幅もそれにあわせて広げられる。）。このように構成すると、軸１４の凸部１４ｃの各傾斜面１４ｃ１、１４ｃ２の前後方向の長さがより長くなる（よりなだらかに傾斜する状態になる。）。
そのため、図９（Ａ）、（Ｂ）に示したように回転部品１２の雌ネジ１２ｃの切り欠き１２ｃ２に面した角部が軸１４の凸部１４ｃの傾斜面１４ｃ１や傾斜面１４ｃ２に当接した状態から、図７（Ｂ）に示したように軸１４の凸部１４ｃが押し上げられて軸１４の凸部１４ｃの下端αと雌ネジ１２ｃの上面１２ｃ１とが係合する状態になるまでに、回転部品１２を回転させる回転角度の範囲が上記の実施形態の場合よりも広くなる。
【００６５】
そして、この広い回転角度の範囲内で回転部品１２を回転させると、回転部品１２の回転に伴って、軸１４の先端Ａが、軸体部品１３の下端部１３ｂから下方に徐々に突出していき、最も突出した後、今度は、軸体部品１３の下端部１３ｂ内に徐々に没入していく状態を形成することができる。
そのため、例えばコマ玩具１をこのように構成することで、回転部品１２を周方向に回転させることにより、上記の実施形態のような軸体部品１３の下端部１３ｂの回転部品１２下端から下方への突出長さＬだけでなく、それとともに、軸１４の先端Ａの軸体部品１３の下端部１３ｂからの突出度合をも微調整することが可能となる。
【００６６】
また、上記の実施形態等では、軸体部品１３の内部で軸１４が付勢部材（スプリング１５）により下方に付勢されている場合について説明した。
しかし、軸体部品１３の内部で軸１４を付勢部材により上方に付勢するように構成することもできる。この場合、図示を省略するが、付勢部材であるスプリング１５は、例えば、軸体部品１３内の、軸１４の本体部１４ａの下端と軸体部品１３の下端部１３ｂの上端との間に配設される。
【００６７】
そして、この場合、図６等に示した場合とは上下が逆で、軸１４の凸部１４ｃは、上面に傾斜面１４ｃ１、１４ｃ２や凸部１４ｃの上端α（この場合は上端になる。）を有するように構成される。
そして、プレイヤが回転部品１２を周方向に回転させて回転部品１２の雌ネジ１２ｃの切り欠き１２ｃ２が軸１４の凸部１４ｃの位置に回転すると、軸１４の凸部１４ｃと雌ネジ１２ｃとの係合が解除され、軸１４の本体部１４ａがスプリング１５の付勢力により、図７（Ａ）に示した場合とは上下が逆に、軸体部品１３内で上方に移動して、軸１４の先端Ａが軸体部品１３の下端部１３ｂ内に没入する。
【００６８】
また、プレイヤが回転部品１２を周方向に回転させて回転部品１２の雌ネジ１２ｃの切り欠き１２ｃ２以外の部分が軸１４の凸部１４ｃの位置に回転すると、図９（Ａ）、（Ｂ）に示した場合とは上下が逆に、回転部品１２の回転により、回転部品１２の雌ネジ１２ｃの、切り欠き１２ｃ２に面した下側の角部が凸部１４ｃの上面に設けられた傾斜面に当接し、傾斜面を押し下げることで軸１４の凸部１４ｃをスプリング１５の付勢力に抗して押し下げて、軸１４の凸部１４ｃと雌ネジ１２ｃとが係合される。
そのため、図７（Ｂ）に示した状態とは上下が逆に、軸１４の本体部１４ａが軸体部品１３内で下方に移動するため、軸１４の先端Ａが軸体部品１３の下端部１３ｂから下方に突出する。
【００６９】
そのため、この場合は、上記の実施形態における図１１（Ａ）〜（Ｃ）や図１２（Ａ）、（Ｂ）とは逆に、図１１（Ａ）、（Ｃ）、図１２（Ｂ）に示した回転部品１２の回転角度が０度や１８０度、３６０度になった際に軸１４の先端Ａが軸体部品１３の下端部１３ｂ内に没入し、図１１（Ｂ）や図１２（Ａ）に示した回転部品１２の回転角度がそれらの角度以外の角度の場合に軸１４の先端Ａが軸体部品１３の下端部１３ｂから下方に突出した状態になる。
なお、この場合も、上記のように、回転部品１２の回転に伴って、軸１４の先端Ａを、軸体部品１３の下端部１３ｂから下方に徐々に突出させたり、軸体部品１３の下端部１３ｂ内に徐々に没入させるように構成することも可能である。
【符号の説明】
【００７０】
１  コマ玩具
１０  軸部
１１  基体部品
１１ａ  凹部
１２  回転部品
１２ｃ  雌ネジ
１２ｃ２  切り欠き
１３  軸体部品
１３ｂ  下端部（軸体部品の下端）
１３ｃ  雄ネジ
１３ｇ  開口部
１４  軸
１４ｃ  凸部
１４ｃ１、１４ｃ２  傾斜面
１５  スプリング（付勢部材）
１６  規制部品
４０  胴体
Ａ  軸の先端
【図１】
2020062071.tif 000003
【図２】
2020062071.tif 000004
【図３】
2020062071.tif 000005
【図４】
2020062071.tif 000006
【図５】
2020062071.tif 000007
【図６】
2020062071.tif 000008
【図７】
2020062071.tif 000009
【図８】
2020062071.tif 000010
【図９】
2020062071.tif 000011
【図１０】
2020062071.tif 000012
【図１１】
2020062071.tif 000013
【図１２】
2020062071.tif 000014
【図１３】
2020062071.tif 000015
【手続補正書】
【提出日】平成31年4月26日(2019.4.26)
【手続補正１】
【補正対象書類名】明細書
【補正対象項目名】００１２
【補正方法】変更
【補正の内容】
【００１２】
第３の手段は、第２の手段において、前記軸の凸部は、下面に傾斜面を有しており、前記回転部品の回転により、前記回転部品の雌ネジの、前記切り欠きに面した上側の角部が前記傾斜面に当接し、前記傾斜面を押し上げることで前記軸の凸部を押し上げて前記軸の凸部と前記雌ネジとを係合させることを特徴とする。
【手続補正２】
【補正対象書類名】明細書
【補正対象項目名】００１４
【補正方法】変更
【補正の内容】
【００１４】
第５の手段は、第４の手段において、前記軸の凸部は、上面に傾斜面を有しており、前記回転部品の回転により、前記回転部品の雌ネジの、前記切り欠きに面した下側の角部が前記傾斜面に当接し、前記傾斜面を押し下げることで前記軸の凸部を押し下げて前記軸の凸部と前記雌ネジとを係合させることを特徴とする。
【手続補正３】
【補正対象書類名】特許請求の範囲
【補正対象項目名】全文
【補正方法】変更
【補正の内容】
【特許請求の範囲】
【請求項１】
相手方のコマ玩具と衝突する胴体と、その下方に配置され遊戯面に接地する軸部とを有するコマ玩具において、
前記軸部は、基体部品と、前記基体部品の凹部に周方向に回転可能に挿嵌された略円筒状の回転部品と、前記回転部品の内側に螺合され前記回転部品の回転により上下方向に移動可能な軸体部品と、前記軸体部品の内部に収容され先端が前記軸体部品の下端で出没可能な軸と、を備え、
前記軸体部品は、上下方向に移動しても、その下端が前記回転部品の下端より下側に位置する状態が維持されるように構成されており、
前記軸は、前記軸体部品の内部で付勢部材により上方又は下方のいずれか一方に付勢されており、
前記回転部品が操作されて、前記回転部品が所定の回転位置に回転すると、前記付勢部材の付勢力により前記軸の先端が前記軸体部品の下端から下方に突出して当該軸が接地し、
前記回転部品が前記所定の回転位置以外の回転位置に回転すると、前記軸の先端が前記軸体部品の内部に没入して前記軸体部品とともに上下方向に移動し、前記軸体部品の下端が接地することを特徴とするコマ玩具。
【請求項２】
前記軸は、前記軸体部品の内部で付勢部材により下方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の下端から下方に突出し、
前記回転部品の雌ネジの切り欠き以外の部分が前記軸の凸部の位置に回転すると、前記軸の凸部と前記雌ネジとが係合して、前記軸の先端が前記軸体部品の内部に没入することを特徴とする請求項１に記載のコマ玩具。
【請求項３】
前記軸の凸部は、下面に傾斜面を有しており、前記回転部品の回転により、前記回転部品の雌ネジの、前記切り欠きに面した上側の角部が前記傾斜面に当接し、前記傾斜面を押し上げることで前記軸の凸部を押し上げて前記軸の凸部と前記雌ネジとを係合させることを特徴とする請求項２ に記載のコマ玩具。
【請求項４】
前記軸は、前記軸体部品の内部で付勢部材により上方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の内部に没入し、
前記回転部品の雌ネジの切り欠き以外の部分が前記軸の凸部の位置に回転すると、前記軸の凸部と前記雌ネジとが係合して、前記軸の先端が前記軸体部品の下端から下方に突出することを特徴とする請求項１に記載のコマ玩具。
【請求項５】
前記軸の凸部は、上面に傾斜面を有しており、前記回転部品の回転により、前記回転部品の雌ネジの、前記切り欠きに面した下側の角部が前記傾斜面に当接し、前記傾斜面を押し下げることで前記軸の凸部を押し下げて前記軸の凸部と前記雌ネジとを係合させることを特徴とする請求項４ に記載のコマ玩具。
【請求項６】
前記軸体部品は、前記基体部品に固定された規制部品により、周方向の動きが規制され、前記回転部品の回転により上下方向にのみ移動可能とされていることを特徴とする請求項１から請求項５のいずれか一項に記載のコマ玩具。
【手続補正書】
【提出日】令和1年6月20日(2019.6.20)
【手続補正１】
【補正対象書類名】明細書
【補正対象項目名】００１０
【補正方法】変更
【補正の内容】
【００１０】
上記課題を達成するため、第１の手段は、
相手方のコマ玩具と衝突する胴体と、その下方に配置され遊戯面に接地する軸部とを有するコマ玩具において、
前記軸部は、基体部品と、前記基体部品の凹部に周方向に回転可能に挿嵌された略円筒状の回転部品と、前記回転部品の内側に螺合され前記回転部品の回転により上下方向に移動可能な軸体部品と、前記軸体部品の内部に収容され先端が前記軸体部品の下端で出没可能な軸と、を備え、
前記軸体部品は、上下方向に移動しても、その下端が前記回転部品の下端より下側に位置する状態が維持されるように構成されており、前記軸の先端が前記軸体部品の内部に没入したときに前記軸体部品が接地し、前記軸の先端が前記軸体部品の下端から突出したときに前記軸が接地するように構成され、
前記軸は、前記軸体部品の内部で付勢部材により上方又は下方のいずれか一方に付勢されており、
前記回転部品が操作されて、前記回転部品が前記軸体部品に対して所定の回転位置に回転すると、前記軸が前記付勢部材による付勢力で動作して前記軸体部品又は前記軸の一方が接地し、
前記回転部品が操作されて、前記回転部品が前記軸体部品に対して前記所定の回転位置以外の回転位置に回転すると、前記軸が前記付勢部材による付勢力に抗して動作するとともに、その動作後の状態で前記軸体部品とともに上下方向に移動し、前記軸体部品又は前記軸の他方が接地することを特徴とする。
【手続補正２】
【補正対象書類名】特許請求の範囲
【補正対象項目名】全文
【補正方法】変更
【補正の内容】
【特許請求の範囲】
【請求項１】
相手方のコマ玩具と衝突する胴体と、その下方に配置され遊戯面に接地する軸部とを有するコマ玩具において、
前記軸部は、基体部品と、前記基体部品の凹部に周方向に回転可能に挿嵌された略円筒状の回転部品と、前記回転部品の内側に螺合され前記回転部品の回転により上下方向に移動可能な軸体部品と、前記軸体部品の内部に収容され先端が前記軸体部品の下端で出没可能な軸と、を備え、
前記軸体部品は、上下方向に移動しても、その下端が前記回転部品の下端より下側に位置する状態が維持されるように構成されており、前記軸の先端が前記軸体部品の内部に没入したときに前記軸体部品が接地し、前記軸の先端が前記軸体部品の下端から突出したときに前記軸が接地するように構成され、
前記軸は、前記軸体部品の内部で付勢部材により上方又は下方のいずれか一方に付勢されており、
前記回転部品が操作されて、前記回転部品が前記軸体部品に対して所定の回転位置に回転すると、前記軸が前記付勢部材による付勢力で動作して前記軸体部品又は前記軸の一方が接地し、
前記回転部品が操作されて、前記回転部品が前記軸体部品に対して前記所定の回転位置以外の回転位置に回転すると、前記軸が前記付勢部材による付勢力に抗して動作するとともに、その動作後の状態で前記軸体部品とともに上下方向に移動し、前記軸体部品又は前記軸の他方が接地することを特徴とするコマ玩具。
【請求項２】
前記軸は、前記軸体部品の内部で付勢部材により下方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の下端から下方に突出し、
前記回転部品の雌ネジの切り欠き以外の部分が前記軸の凸部の位置に回転すると、前記軸の凸部と前記雌ネジとが係合して、前記軸の先端が前記軸体部品の内部に没入することを特徴とする請求項１に記載のコマ玩具。
【請求項３】
前記軸の凸部は、下面に傾斜面を有しており、前記回転部品の回転により、前記回転部品の雌ネジの、前記切り欠きに面した上側の角部が前記傾斜面に当接し、前記傾斜面を押し上げることで前記軸の凸部を押し上げて前記軸の凸部と前記雌ネジとを係合させることを特徴とする請求項２に記載のコマ玩具。
【請求項４】
前記軸は、前記軸体部品の内部で付勢部材により上方に付勢されており、
前記回転部品の内面に、所定の位置に切り欠きが設けられた雌ネジが形成されており、
前記軸体部品の側面には、外側に雄ネジが形成されているとともに、所定の位置に開口部が形成されており、
前記軸の側面には、当該側面に垂直の方向に突出するように凸部が設けられており、
前記軸の凸部が前記軸体部品の開口部を抜けて前記軸体部品の外側に突出されており、
前記回転部品が操作されて前記回転部品が回転し、前記回転部品の雌ネジの切り欠きが前記軸の凸部の位置に回転すると、前記軸の凸部と前記雌ネジとの係合が解除されて、前記軸の先端が前記軸体部品の内部に没入し、
前記回転部品の雌ネジの切り欠き以外の部分が前記軸の凸部の位置に回転すると、前記軸の凸部と前記雌ネジとが係合して、前記軸の先端が前記軸体部品の下端から下方に突出することを特徴とする請求項１に記載のコマ玩具。
【請求項５】
前記軸の凸部は、上面に傾斜面を有しており、前記回転部品の回転により、前記回転部品の雌ネジの、前記切り欠きに面した下側の角部が前記傾斜面に当接し、前記傾斜面を押し下げることで前記軸の凸部を押し下げて前記軸の凸部と前記雌ネジとを係合させることを特徴とする請求項４に記載のコマ玩具。
【請求項６】
前記軸体部品は、前記基体部品に固定された規制部品により、周方向の動きが規制され、前記回転部品の回転により上下方向にのみ移動可能とされていることを特徴とする請求項１から請求項５のいずれか一項に記載のコマ玩具。